(57)【要約】      （修正有）【課題】平板状のフィルムに印刷を施すだけで形成することができる安価な商品表示用のフィルムのみを交換するだけで商品の入替えなどに対応することができるとともに前記フィルムの交換が非常に容易である自動販売機用の見本体を提供する。【解決手段】垂直部材７の後端に、枠体１の内側に向かって折れ曲がった状態で設けられたストッパ１３によりフィルム３の左右縁を保持するように構成され、また、底枠６下面の内周側から下方に連設された縦部分９ならびに台座部２の取付孔４の周縁を底枠６下面とで挟むよう縦部分９から径方向外側に連設された横部分１０よりなる縦断面がほぼＬ字状のフランジ１１が設けられ、このフランジ１１の縦部分９の外径を取付孔４の内径以上にしてあり、枠体１の下部を左右方向に縮めて弾性変形させることにより、取付孔４内にフランジ１１が進入可能となるように構成されている。【選択図】図１
0003107660.tif 000002
【実用新案登録請求の範囲】
【請求項１】
自動販売機の台座部に設けられた取付孔に着脱自在に取り付けられる枠体と、ほぼ平面状に形成され前記枠体に湾曲した状態で着脱自在に装着される商品表示用フィルムとを備え、前記枠体が、ほぼＣ字状の底枠と、この底枠の両端部またはその近傍から立設された二つの垂直部材と、二つの垂直部材の上側に連設された天板とを有する自動販売機用の見本体であって、前記垂直部材の後端に枠体の内側に向かって折れ曲がった状態で設けられたストッパにより前記フィルムの左右縁を保持するように構成され、また、前記底枠下面の内周側から下方に連設された縦部分ならびに前記台座部の取付孔の周縁を前記底枠下面とで挟むよう縦部分から径方向外側に連設された横部分よりなる縦断面がほぼＬ字状のフランジが設けられ、このフランジの縦部分の外径を前記取付孔の内径以上にしてあり、枠体の下部を左右方向に縮めて弾性変形させることにより、取付孔内に前記フランジが進入可能となるように構成されており、さらに、前記垂直部材は、枠体に装着された前記フィルムにより正面からは見えないように構成されていることを特徴とする自動販売機用の見本体。
【請求項２】
自動販売機の台座部に設けられた取付孔に着脱自在に取り付けられる枠体と、ほぼ平面状に形成され前記枠体に湾曲した状態で着脱自在に装着される商品表示用フィルムとを備え、前記枠体が、ほぼＣ字状の底枠と、この底枠の両端部またはその近傍から立設された二つの垂直部材と、二つの垂直部材の上側に連設された天板とを有する自動販売機用の見本体であって、前記垂直部材の後端に枠体の内側に向かって折れ曲がった状態で設けられたストッパにより前記フィルムの左右縁を保持するように構成され、また、前記底枠下面の内周側から下方に連設され、下方側ほど径方向外側に拡がるテーパ状部を有し、前記台座部の取付孔の周縁を前記底枠下面と前記テーパ状部とで挟むように構成されたフランジが設けられ、前記テーパ状部の取付孔に当接する部分の外径を前記取付孔の内径より大きくしてあり、枠体の下部を左右方向に縮めて弾性変形させることにより、取付孔内に前記フランジが進入可能となるように構成されており、さらに、前記垂直部材は、枠体に装着された前記フィルムにより正面からは見えないように構成されていることを特徴とする自動販売機用の見本体。
【請求項３】
前記フランジの左右に、前記取付孔の周縁よりも側方に突出する突出部分が設けられ、この突出部分は、前記台座部の取付孔の周縁に沿って形成されている切欠部分に係止して枠体が円周方向に回るのを防止するように構成された請求項１または２に記載の自動販売機用の見本体。
【考案の詳細な説明】
【技術分野】
【０００１】
本考案は、例えば、自動販売機で販売されるジュースやコーヒー、ビールなどの缶入りの商品を展示するための自動販売機用の見本体に関する。
【背景技術】
【０００２】
缶入りのジュース、コーヒー、ビールなどの商品を販売するための自動販売機には、それらの商品の見本体を展示するための展示部が設けられている。これらの見本体は商品をより魅力あるものとして宣伝すると共に、商品の入替えに伴って容易に交換可能であることが望ましい。
【０００３】
図１０は従来の見本体の例を示す図であって、円筒状の見本体１６の底面に挿抜筒１７が一体に突設されている。この挿抜筒１７は、先端外周縁に外方に向けて一対の止め片１８が突設されているとともに、その挿抜筒１７の胴部１７ａには一対の板ばね状の弾性を有する節度片１９が同一円周上に形成されている。各節度片１９には、その外側面に節度用凸部２０が一体に形成されている。
【０００４】
一方、ステージ２１には、挿抜筒１７が嵌まり合うように全体を円形に成形したダミー体取付孔２２が開口されている。この取付孔２２は、挿抜筒１７の止め片１８に対応する位置に止め片挿抜切欠２３を有するとともに、節度用凸部挿入切欠２４およびこの切欠２４に隣り合う節度用凹部２５を有している。
【０００５】
そこで、見本体１６をステージ２１に固定するには、取付孔２２の二つの止め片挿抜切欠２３に見本体１６の止め片１８を整合させて挿抜筒１７を取付孔２２に挿入すると、ステージ２１の裏面側に止め片１８が挿入され、同時に挿抜筒１７の節度用凸部２０が取付孔２２の節度用凸部挿入切欠２４に嵌まる。
【０００６】
続いて、見本体１６を回転させると、止め片１８はステージ２１の裏面側で止め片挿抜切欠２３から外れた位置に移動して、見本体１６を抜き取り不能にできる。同時に、挿抜筒１７の節度用凸部２０が切欠２４から隣り合う節度用凹部２５に嵌まり合い見本体１６の回り止めが可能となる。
【考案の開示】
【考案が解決しようとする課題】
【０００７】
しかし、前記見本体１６では、ステージ２１に対してねじ込んで取り付ける必要があるので、その取り付けに手間がかかり、構造も非常に複雑になるという問題があった。また、見本体１６自体が大きく、従って、見本体１６を取り付けるためのスペースも大きくなるとともに、見本体１６を成形するのに必要となる材料も多くなるという難点もあった。
【０００８】
この考案は上述の事柄に留意してなされたもので、その目的は、平板状のフィルムに印刷を施すだけで形成することができる安価な商品表示用のフィルムのみを交換するだけで商品の入替えなどに対応することができるとともに前記フィルムの交換が非常に容易であり、また、自動販売機の台座部の取付孔に対する取付状態を良好に維持することができるとともに取り付けのためのスペースが小さくてすみ、さらに、その取り付け作業および取り外し作業が簡単で、少ない材料で製造することができる自動販売機用の見本体を提供することである。
【課題を解決するための手段】
【０００９】
上記目的を達成するために、本考案の自動販売機用の見本体は、自動販売機の台座部に設けられた取付孔に着脱自在に取り付けられる枠体と、ほぼ平面状に形成され前記枠体に湾曲した状態で着脱自在に装着される商品表示用フィルムとを備え、前記枠体が、ほぼＣ字状の底枠と、この底枠の両端部またはその近傍から立設された二つの垂直部材と、二つの垂直部材の上側に連設された天板とを有する自動販売機用の見本体であって、前記垂直部材の後端に枠体の内側に向かって折れ曲がった状態で設けられたストッパにより前記フィルムの左右縁を保持するように構成され、また、前記底枠下面の内周側から下方に連設された縦部分ならびに前記台座部の取付孔の周縁を前記底枠下面とで挟むよう縦部分から径方向外側に連設された横部分よりなる縦断面がほぼＬ字状のフランジが設けられ、このフランジの縦部分の外径を前記取付孔の内径以上にしてあり、枠体の下部を左右方向に縮めて弾性変形させることにより、取付孔内に前記フランジが進入可能となるように構成されており、さらに、前記垂直部材は、枠体に装着された前記フィルムにより正面からは見えないように構成されていることを特徴としている（請求項１）。
【００１０】
また、上記目的を達成するために、本考案の自動販売機用の見本体は、自動販売機の台座部に設けられた取付孔に着脱自在に取り付けられる枠体と、ほぼ平面状に形成され前記枠体に湾曲した状態で着脱自在に装着される商品表示用フィルムとを備え、前記枠体が、ほぼＣ字状の底枠と、この底枠の両端部またはその近傍から立設された二つの垂直部材と、二つの垂直部材の上側に連設された天板とを有する自動販売機用の見本体であって、前記垂直部材の後端に枠体の内側に向かって折れ曲がった状態で設けられたストッパにより前記フィルムの左右縁を保持するように構成され、また、前記底枠下面の内周側から下方に連設され、下方側ほど径方向外側に拡がるテーパ状部を有し、前記台座部の取付孔の周縁を前記底枠下面と前記テーパ状部とで挟むように構成されたフランジが設けられ、前記テーパ状部の取付孔に当接する部分の外径を前記取付孔の内径より大きくしてあり、枠体の下部を左右方向に縮めて弾性変形させることにより、取付孔内に前記フランジが進入可能となるように構成されており、さらに、前記垂直部材は、枠体に装着された前記フィルムにより正面からは見えないように構成されていることを特徴としている（請求項２）。
【００１１】
さらに、前記フランジの左右に、前記取付孔の周縁よりも側方に突出する突出部分が設けられ、この突出部分は、前記台座部の取付孔の周縁に沿って形成されている切欠部分に係止して枠体が円周方向に回るのを防止するように構成されていてもよい（請求項３）。
【考案の効果】
【００１２】
上記の構成からなる本考案によれば、平板状のフィルムに印刷を施すだけで形成することができる安価な商品表示用のフィルムのみを交換するだけで商品の入替えなどに対応することができるとともに前記フィルムの交換が非常に容易であり、また、自動販売機の台座部の取付孔に対する取付状態を良好に維持することができるとともに取り付けのためのスペースが小さくてすみ、さらに、その取り付け作業および取り外し作業が簡単で、少ない材料で製造することができる自動販売機用の見本体が得られる。
【００１３】
すなわち、請求項１に係る考案では、前記フィルムの左右縁を保持するストッパが、垂直部材の後端から枠体の内側に向かって折れ曲がった状態で設けられているので、フィルムの左右縁のストッパへの係止を非常に簡単かつ確実に行うことができ、これにより、枠体に装着されるフィルムの交換作業が非常に容易となる見本体が得られる。そして、この見本体は、特にストレート缶（直胴缶）タイプの見本体として用いるのが最適である。
【００１４】
また、取付孔に枠体を取り付けたときに、フランジの横部分と前記底枠下面とで取付孔の周縁を挟む状態となり、これに伴い、枠体が安定した状態で直立することとなる。さらに、前記フランジの縦部分の外径は前記取付孔の内径以上となっているので、取付孔の縁に当接しさらに左右方向に広がろうとする前記縦部分により、枠体は常時径方向外側に向かって広がるように付勢された状態となり、これによっても、枠体が安定した状態で直立することになる。
【００１５】
しかも、前記見本体は、取付孔に取り付けられた状態では垂直部材がフィルムにより正面からは見えないように構成されているので、その美観が損なわれず、洗練された商品のイメージを消費者に呈示することができ、ひいては消費者などによいイメージを与え、商品の売り上げに寄与することができる。
【００１６】
さらに、前記見本体は、円筒をほぼ縦半分に割った形状をしており、従って、円筒状である従来の見本体と比べて、取り付けのためのスペースが小さくてすみ、その上、枠体と商品表示用フィルムとのみからなるので、極めて少ない材料で安価に製造することができる。
【００１７】
加えて、前記見本体は、図１０に示すような従来の見本体が取り付けられていた取付孔２２をそのまま用いて取り付けることができる。
【００１８】
請求項２に記載された考案では、請求項１に記載された考案と同様の効果を奏する見本体が得られる。なお、請求項２に記載された考案は、請求項１に記載された考案と比べてフランジの構成が異なるが、奏する効果はほぼ同一である。すなわち、取付孔に枠体を取り付けたときに、フランジのテーパ状部と底枠下面とで取付孔の周縁を挟む状態となり、これに伴い、枠体が安定した状態で直立することとなる。さらに、前記フランジのテーパ状部の取付孔に当接する部分の外径は前記取付孔の内径以上となっているので、取付孔の縁に当接しさらに左右方向に広がろうとする前記当接部分により、枠体は常時径方向外側に向かって広がるように付勢された状態となり、これによっても、枠体が安定した状態で直立することになる。
【００１９】
請求項３に記載された考案では、前記一対の切欠部分のそれぞれに前記突出部分を係止することにより、枠体がその軸まわりに回転するのが防止されるのみならず、台座部に取り付けた状態の見本体ががたつくことが確実に防止される。
【考案を実施するための最良の形態】
【００２０】
図１〜図７は、本考案の一実施の形態に係る自動販売機用の見本体を示す。図１において、１は前記見本体を構成する枠体で、自動販売機の展示部に設けた台座部２に着脱自在に取り付けられる。３はほぼ平面状に形成され、例えばお茶、ジュース、コーヒーなどの飲料である商品のパッケージとほぼ同じ内容の印刷が施されたフィルムであり、枠体１に対してその背面側から湾曲した状態で着脱自在に装着される。このフィルム３は、例えばポリプロピレン、ポリカーボネイト、ポリエチレンテレフタレート等およびそれらの再生品など、透明または半透明で耐熱性、耐候性に優れた素材からなる。
【００２１】
また、図１において、４は台座部２に形成されている取付孔である。この取付孔４は、既設のものでこの実施の形態の見本体以外の見本体も取り付けできるように構成されている。すなわち、取付孔４は、平面視円形の周縁に沿って一対の切欠部分４ａと二対の切り込み４ｂが形成されている。切欠部分４ａはそれぞれ同一形状を有し、平面視コ字型をなす。そして、切欠部分４ａどうしは、中心角で１８０°の間隔を有して配置されている。また、棒状の蛍光灯５による光が取付孔４を通ってフィルム３が装着された枠体１内に照射される。
【００２２】
前記枠体１は、例えば、比較的硬質で耐熱性、耐候性に優れた合成樹脂（例えばポリプロピレン、ポリカーボネイト、ポリエチレンテレフタレート等およびそれらの再生品）などの素材をインジェクション成形して得ることができる。そして、枠体１は、その全体形状が無底の半円柱状を構成するように形成された所定の肉厚を有するフレーム状をしている。
【００２３】
詳しくは、図１〜図４に示すように、枠体１は、ほぼＣ字状で前記フィルム３の下端部を保持する底枠６と、この底枠６の両端部またはその近傍から立設された二つの垂直部材７，７と、二つの垂直部材７，７の上側に連設されフィルム３の上端部を保持する天板８とを有している。そして、枠体１は、底枠６の左右両端に少し余分な力を加えて挟むだけで、底枠６の左右両端が適度な弾力を有しながら容易に内側に撓むように構成されると共に、その材料の使用量を削減して製造コストを引き下げている。
【００２４】
図１〜図４に示すように、前記底枠６の下側には、底枠６下面の内周側から下方に連設された縦部分９ならびに前記台座部２の取付孔４の周縁を前記底枠６下面とで挟むよう縦部分９から径方向外側に連設された横部分１０よりなる縦断面がほぼＬ字状のフランジ１１が設けられている。このフランジ１１の縦部分９の外径は前記取付孔４の内径以上となっており、枠体１の下部を左右方向に縮めて弾性変形させることにより、取付孔４内に前記フランジ１１が進入可能となるように構成されている。また、前記横部分１０の下部は、下側ほど小径となるテーパ状に形成されている（図２および図４参照）。
【００２５】
前記垂直部材７の後端には、図１〜図４に示すように、前記フィルム３の左右縁を保持するように枠体１の内側に向かって折れ曲がった状態でストッパ１３が設けられている。各ストッパ１３は、縦方向に長く、垂直部材７の内面における縦方向の真ん中を中心に適宜の長さを持つように形成されている。この垂直部材７は枠体１の剛性を向上させる効果もある。さらに、前記垂直部材７は、図５に示すように、枠体１に装着された前記フィルム３の背後に隠れて正面からは見えないように構成されている。すなわち、平面視において、底枠６の中心Ｐと二つの垂直部材７の前端部とをそれぞれ結んだ場合に、図５において符号αで示す角度が少なくとも１８０度以上となるように構成されている。
【００２６】
さらに、前記フランジ１１の縦部分９の左右両端部に、図７（Ａ）および（Ｂ）に示すように、前記取付孔４の周縁よりも側方に突出する突出部分１２が設けられ、この突出部分１２は、前記台座部２の取付孔４の周縁に沿って形成されている前記切欠部分４ａに係止して枠体１が円周方向に回るのを防止するように構成されている。
【００２７】
上記の構成からなる枠体１にフィルム３を装着するには、フィルム３の上縁および下縁をそれぞれ天板８および底枠６の周縁部に当接させるとともに、フィルム３の左右縁を前記左右の垂直部材７のストッパ１３により保持させるだけでよい。
【００２８】
上記のようにしてフィルム３が装着された枠体１を前記取付孔４に取り付けるには、図６に示すように、枠体１下部の左右両端を挟んで内側に撓ませ、取付孔４内に前記フランジ１１を挿入し、その後、枠体１下部の左右両端に対する押圧を解除するだけでよい。上述したように、横部分１０の下部は下側ほど細くなるテーパ状になっているので、この横部分１０のガイドによって、フランジ１１は取付孔４内にスムーズに挿入されることとなる。そして、取前記押圧の解除後、変形していた枠体１自身が有する復元力のはたらきにより、取付孔４の縁に縦部分９が当接し、枠体１が台座部２に取り付けられた状態となる。なお、フランジ１１を取付孔４内に挿入する際には、図７（Ｂ）に示すように、二つの前記突出部分１２がそれぞれ取付孔４の切欠部分４ａ内におさまるように枠体１の位置や向きを調節する。
【００２９】
上記のように前記取付孔４に枠体１を取り付けると、フランジ１１の横部分１０と前記底枠６下面とで取付孔４の周縁を挟む状態となり、これに伴い、枠体１が安定した状態で直立することとなる。また、前記一対の切欠部分４ａのそれぞれに前記突出部分１２を係止することにより、枠体１がその軸まわりに回転するのが防止される。さらに、前記フランジ１１の縦部分９の外径は前記取付孔４の内径以上となっているので、取付孔４の縁に当接しさらに左右方向に広がろうとする前記縦部分９により、枠体１は常時径方向外側に向かって広がるように付勢された状態となり、これによっても、枠体１が安定した状態で直立することになる。
【００３０】
さらに、枠体１を取付孔４に取り付けるときに、一対の切欠部分４ａに対応する位置に設けられた突出部分１２を目安として用いることができるので、枠体１をより容易に台座部２に取り付けることができる。
【００３１】
そして、上記のように取り付けられた枠体１は、取り付け時と反対の手順で台座部２から取り外すことができる。
【００３２】
なお、本考案は上記実施の形態に限られず、種々に変形して実施することができる。具体的には、前記ストッパ１３を垂直部材７の上端から下端にかけて延びるように設けてもよく、また、垂直部材７に複数のストッパ１３を縦方向に適宜の間隔をおいて設けてもよい。
【００３３】
また、前記フランジ１１を、縦断面ほぼＬ字状とするのではなく、図８に示すように、下方側ほど径方向外側に拡がり、底枠６の下面とで前記台座部２の取付孔４の周縁を挟むように構成されたテーパ状部１４を有するように構成してもよい。この場合にも、フランジ１１の下部（テーパ状部１４よりも下側の部分）を、前記横部分１０の下部と同様に、下側ほど小径となるテーパ状とすることが望ましい。そして、この場合、例えば、フランジ１１の前部に、底枠６の下面とで前記台座部２の取付孔４の周縁を挟む突起部（図示していない）を設けてもよい。
【００３４】
さらに、例えば、図９に示すように、フランジ１１に複数の切欠部分１５を設けてもよく、この場合には、枠体１の下部（底枠６）を左右方向に縮める弾性変形をより行い易くすることができ、取付孔４への枠体１の取り付けおよびその取り外しのための作業が非常に簡単になる。
【００３５】
また、上記実施の形態では、蛍光灯５を台座部２の下方に配置し、見本体をその下方からライトアップしていたが、見本体をその後方からライトアップするように構成してもよい。
【００３６】
また、底枠６を閉塞する蓋部分が設けられていてもよく、上記のように見本体をその下方からライトアップする場合には、少なくとも前記蓋部分を透明または半透明にしておく必要がある。
【図面の簡単な説明】
【００３７】
【図１】本考案の一実施の形態に係る自動販売機用の見本体の構成を概略的に示す分解斜視図である。
【図２】前記見本体の枠体の構成を概略的に示す正面図である。
【図３】前記枠体の構成を概略的に示す底面図である。
【図４】前記見本体の構成を概略的に示す縦断面図である。
【図５】前記見本体の要部の構成を概略的に示す説明図である。
【図６】前記見本体の台座部への取り付け方法を概略的に示す説明図である。
【図７】（Ａ）は、前記見本体の要部の構成を概略的に示す横断面図、（Ｂ）は、台座部に取り付けた状態の前記見本体の構成を概略的に示す横断面図である。
【図８】前記見本体の変形例の構成を概略的に示す説明図である。
【図９】前記見本体の他の変形例の要部の構成を概略的に示す底面図である。
【図１０】従来の見本体の構成を概略的に示す側面図である。
【符号の説明】
【００３８】
１  枠体
２  台座部
３  フィルム
４  取付孔
６  底枠
７  垂直部材
８  天板
９  縦部分
１０  横部分
１１  フランジ
１２  突出部分
１３  ストッパ
【図１】
0003107660.tif 000003
【図２】
0003107660.tif 000004
【図３】
0003107660.tif 000005
【図４】
0003107660.tif 000006
【図５】
0003107660.tif 000007
【図６】
0003107660.tif 000008
【図７】
0003107660.tif 000009
【図８】
0003107660.tif 000010
【図９】
0003107660.tif 000011
【図１０】
0003107660.tif 000012